(57)【要約】      （修正有）【課題】押さえ蓋と本体とを押さえて合わせることで、結束バンドロックの作用を獲得可能な組合せ結束バンド使用のロック装置を提供する。【解決手段】簡便な操作を提供する組合せ結束バンド使用のロック装置であって、本体１０と回転可能な押さえ蓋２０の組合せを備え、共同で入口１８ａを区画し、結束バンドはこの入口から本体に進入する。本体にはバルブプレート３０を設置し、本体は入口から遠い第一位置と入口に近い第二位置との間で移動する。バルブプレートには歯部を形成し、バルブプレートはレール１６に沿って第二位置の方向へと移動後、結束バンドを押さえ、押さえ蓋に対応して本体に入り、結束バンドをロックして固定する。【選択図】図３
0003194361.tif 000002
【実用新案登録請求の範囲】
【請求項１】
組合せ結束バンド使用のロック装置であって、本体と回転可能な押さえ蓋の組合せを備え、
前記本体は、少なくとも１個の壁、前記壁に連接する固定部を備え、
前記押さえ蓋には、可動接続端を設置し、前記本体の可動接続部を可動接続し、共同で入口を区画し、
前記本体には、バルブプレートを設置し、これにより前記本体は第一位置と第二位置との間で移動し、
前記バルブプレートは第二位置の方向へと移動後、前記押さえ蓋に対応し、本体に入り、該バルブプレートを固定することを特徴とする、
組合せ結束バンド使用のロック装置。
【請求項２】
前記本体の固定部には、凹室、前記凹室と連接する開口を形成し、
前記凹室は、前記結束バンドの一端を固定し、
これにより、前記結束バンドは、前記開口から伸び出し、しかも前記入口から前記本体へと進入し、
前記本体の壁には、レールを設置し、前記バルブプレートを設置し、しかもこれにより前記バルブプレートは、前記レールに沿って、第一位置と第二位置との間で移動可能であることを特徴とする請求項１に記載の組合せ結束バンド使用のロック装置。
【請求項３】
前記本体の壁には、凹部を形成し、
前記バルブプレートは、板状蓋構造で、ラフな推動面を備え、底面の歯部と両端に位置する支部に形成し、
前記支部は、前記凹部を経て、前記レール内面に入り、
前記推動面と第一位置から第二位置へと移動するルートを結んだ線とは、推動角度を形成することを特徴とする請求項２に記載の組合せ結束バンド使用のロック装置。
【請求項４】
前記押さえ蓋には、ロックヘッド、前記ロックヘッドを経て、ロック解除、ロック固定を制御するロック板を設置し、
前記押さえ蓋には、少なくとも１個のアームを設置し、前記ロックヘッドと前記可動接続端との間の区域に位置し、
前記アームは、前記押さえ蓋において突出する指状物で、末端を備えることを特徴とする請求項１に記載の組合せ結束バンド使用のロック装置。
【請求項５】
前記押さえ蓋には、ロックヘッド、前記ロックヘッドを経て、ロック解除、ロック固定を制御するロック板を設置し、
前記押さえ蓋には、少なくとも１個のアームを設置し、前記ロックヘッドと前記可動接続端との間の区域に位置し、
前記アームは、前記押さえ蓋において突出する指状物で、末端を備えることを特徴とする請求項２或いは３に記載の組合せ結束バンド使用のロック装置。
【請求項６】
前記本体には、板状の制限部を設置し、壁を連接し、
前記制限部と前記固定部との間には、出口を区画することを特徴とする請求項１或いは４に記載の組合せ結束バンド使用のロック装置。
【請求項７】
前記本体には、板状の制限部を設置し、壁を連接し、
前記制限部と前記固定部との間には、出口を区画することを特徴とする請求項２或いは３或いは５に記載の組合せ結束バンド使用のロック装置。
【請求項８】
前記本体は、ベース台上に組み合わせ、
前記本体に対応し、前記ベース台は、頭部を備え、
前記頭部は、少なくとも前記本体固定部の局部区域を包み、
前記頭部上に形成する口は、前記本体開口に対応し、
前記ベース台両辺に位置する辺壁は、少なくとも前記本体の壁の局部区域を包むことを特徴とする請求項２或いは３或いは５或いは７に記載の組合せ結束バンド使用のロック装置。
【請求項９】
前記バルブプレートが、前記本体の第二位置に位置する時、
前記バルブプレートの歯部は、結束バンドを咬んで押さえることを特徴とする請求項２或いは３或いは５或いは７或いは８に記載の組合せ結束バンド使用のロック装置。
【請求項１０】
前記バルブプレートが、前記本体の第二位置に位置する時、前記バルブプレートの歯部は、通過する結束バンドを咬んで押さえることを特徴とする請求項１或いは４或いは６に記載の組合せ結束バンド使用のロック装置。
【請求項１１】
前記押さえ蓋を下向きに押すと、前記アームは前記バルブプレートの動きを阻止し、前記アームの末端は、前記結束バンドを咬んで押さえ、
前記ロック板は、前記制限部に進入し、前記押さえ蓋をロックすることを特徴とする請求項５に記載の組合せ結束バンド使用のロック装置。
【請求項１２】
前記バルブプレートは、前記本体の第二位置に位置し、前記バルブプレート歯部は、前記結束バンドを咬んで押さえ、
前記押さえ蓋を下向きに押すと、前記押さえ蓋上のアームは前記バルブプレートの動きを阻止し、前記アームの末端は、前記結束バンドを咬んで押さえ、
前記ロック板は、前記制限部に進入し、前記押さえ蓋をロックすることを特徴とする請求項１或いは４或いは６に記載の組合せ結束バンド使用のロック装置。
【考案の詳細な説明】
【技術分野】
【０００１】
本考案は、組合せ結束バンド使用のロック装置に関し、人員が押さえ蓋と本体とを押さえて合わせることで、結束バンドロックの作用を獲得できる組合せ結束バンド使用のロック装置に関する。
【背景技術】
【０００２】
結束バンド、ロープ或いは他の類似物を応用して物品を梱包する際には、従来からロック接続装置を利用して、緊密圧迫と物品固定を行う。
【０００３】
従来のロック接続装置は、本体とロックヘッドを組み合わせたフリップ部品を備える。
フリップ部品一端は、本体上に可動接続し、回転の形態を形成する。
ロープが本体を通過し、梱包される物品を緊密に圧迫すると、人員は力を入れてフリップ部品を引っ張る。
これにより、フリップ部品の一端は、ロープを咬む。
続いて、カギを操作し、ロックヘッドを回し、フリップ部品のロープを咬んだ状態を固定する。
【０００４】
上記した従来の結束バンド固定接続、或いはロック装置において、構造設計面における課題は、以下の通りである。
従来のロック装置では、人員が両手でそれぞれ本体をつかみ、またフリップ部品を引きロープを咬ませる操作方式だが、これでは人員はカギをさらに操作してロックヘッドを回転させるのは非常に難しい。
該項技術の習熟者は公知のように、フリップ部品がロープを咬んで固定する最終形状は、ロック装置に突出した構造を形成する。
これにより、体積が増し、しかも輸送過程では、他の物品との衝突を生じ、或いはロック装置のロープ固定のメカニズムを破壊してしまい易い。
【０００５】
すなわち、上記の従来の結束バンドロック装置と組合せ設計面の技術において、ロック装置の構造に改良を加えれば、その使用形態を変えることができ、実質的には、その応用範囲を拡大することができる。
例えば、操作の簡便性という条件の下、従来のフリップ部品を引きロープを咬ませる（或いは、バンドを結束する）操作方式と、カギを操作し、ロックヘッドを回して、フリップ部品を固定する作業を廃除する。
或いは、従来のロック装置のスペースを占拠する、或いは蓋上に突出構造を形成するため、他の物品と衝突し、或いはロック装置のロープ固定メカニズムを破壊する等の状況を改善する。
これらは、上記した従来の技術中では、教示されず、また掲示もされていない。  
【考案の概要】
【考案が解決しようとする課題】
【０００６】
上述した考案には使用上の欠点があり、改善する必要がある。その原因は下記の通りである。
【０００７】
従来のロック装置では、人員が両手でそれぞれ本体をつかみ、またフリップ部品を引きロープを咬ませる操作方式だが、これでは人員がさらにカギを操作してロックヘッドを回転させるのは非常に難しい。
【０００８】
従来のロック装置では、フリップ部品がロープを咬んで固定する最終形状では、ロック装置は突出した構造を形成するため、体積が増し、しかも輸送過程では、他の物品との衝突を生じ、或いはロック装置のロープ固定のメカニズムを破壊してしまい易い。
【０００９】
本考案は、上述の問題に鑑みてなされたものであり、その目的は、人員が押さえ蓋と本体とを押さえて合わせることで、結束バンドロックの作用を獲得できる組合せ結束バンド使用のロック装置を提供することである。
【課題を解決するための手段】
【００１０】
本考案による組合せ結束バンド使用のロック装置は、本体と回転可能な押さえ蓋の組合せを備える。
しかも、共同で入口を区画し、これにより結束バンドは本体に進入する。
本体には、バルブプレートを設置し、これにより本体は入口から遠い第一位置と入口に近い第二位置との間で移動する。
バルブプレートは第二位置の方向へと移動後、結束バンドを押さえ、押さえ蓋に対応して本体に入り、バルブプレートと結束バンドとをロックして固定する。
こうして、一人での操作が不便で、構造体積が比較的大きい等の従来の技術における欠点を改善することができる。
【００１１】
本考案の組合せ結束バンド使用のロック装置は、押さえ蓋に、アームを設置する。
バルブプレートが第二位置まで移動し、押さえ蓋を下向きに押さえた後、アームはバルブプレートの第一位置方向への移動を阻止する。
しかも、アームの末端は、結束バンドを押さえる。
こうして、バルブプレート歯部の結束バンド固定を補助する作用を形成する。
【００１２】
本考案は、一人での操作に不利で、構造体積が比較的大きい等の従来の技術に存在する欠点を改善することができ、人員が押さえ蓋と本体とを押さえて合わせることで、結束バンドロックの作用を獲得することができる。
【図面の簡単な説明】
【００１３】
【図１】本考案の一実施形態による押さえ蓋がロック位置にある、或いは本体上を押さえる状況を示す外観構造模式図である。
【図２】本考案の一実施形態による押さえ蓋が開放位置にある状況を示す別種の外観構造模式図である。
【図３】本考案の一実施形態による本体、押さえ蓋とバルブプレート等部分の構造状況を示す構造分解模式図である。
【図４】本考案の一実施形態によるバルブプレートが第一位置にあり、結束バンドが本体と押さえ蓋とを通過する状況を示す操作実施形態模式図である。
【図５】本考案の一実施形態によるバルブプレートが第二位置へと移動し、結束バンドを咬んで押さえる状況を示す別種の操作実施形態模式図である。
【図６】本考案の一実施形態による押さえ蓋が下圧し、ロック位置において結束バンド及びロックヘッドロック本体を咬んで押さえる状況を示すさらに別種の操作実施形態模式図である。
【考案を実施するための形態】
【００１４】
（一実施形態）
本考案の一実施形態によるラックサーバーに用いる組合せ結束バンド使用のロック装置を図面に基づいて説明する。
図１、２、３に示すように、本考案の組合せ結束バンド使用のロック装置は、本体１０と回転可能２０な押さえ蓋の組合せを備える。
【００１５】
本体１０は、固定部１１と可動接続部１２を備える。
固定部１１には、凹室１３、凹室１３と連接する開口１４を形成する。
凹室１３は、結束バンド４０の一端４１を固定する（図４参照）。
これにより、結束バンド４０は、開口１４から伸び出す。
本体１０の少なくとも一辺或いは両辺には、固定部１１に連接する壁１５と壁１５上に設置するレール１６を形成し、これによりバルブプレート３０を設置する。
【００１６】
図に示すように、本体１０は、ベース台７０上に組み合わせる。
本体１０に対応し、ベース台７０には頭部７１を備え、少なくとも本体１０の固定部１１の局部区域を包む。
頭部７１上に形成する口７２は、本体１０の開口１４に対応する。
ベース台７０両辺に位置する辺壁７３は、少なくとも本体１０の壁１５の局部区域を包む。
【００１７】
一実施形態例では、本体１０の壁１５には、凹部１７を形成する。
これにより、バルブプレート３０の両端支部３１は、凹部１７を経て、レール１６内面に設置される。
しかも、バルブプレート３０が、レール１６に沿って、第一位置と第二位置との間で移動できるようにする。
バルブプレート３０は、板状蓋構造で、推動面３３と底面に設置する歯部３２を備える。
歯部３２が、バルブプレート３０において、第二位置へと移動すると、結束バンド４０を咬んで押さえる（この部分は、以下でさらに説明）。
推動面３３には、ラフ面構造を形成し、指とバルブプレート３０との間の摩擦力を拡大する。
【００１８】
図４に示すように、推動面３３とレール１６（或いは第一位置から第二位置へと移動するルートを結んだ線）とは、推動角度或いは挟角θを形成する。
挟角θは、約１０°〜４５°である。
【００１９】
図３、４に示すように、押さえ蓋２０には、可動接続端２１を設置する。
可動接続端２１と本体１０の可動接続部１２により、押さえ蓋２０は、自在に回転する形態を形成する。
しかも、これにより本体の可動接続部１２と押さえ蓋の可動接続端２１との間には、共同で入口１８ａが区画される。
これにより、結束バンド４０の反対端４２は、入口１８ａから本体１０へと進入する。
本体１０には、板状の制限部１９を設置し、壁１５を連接する。
制限部１９と固定部１１との間には、出口１８ｂを区画する。
これにより、結束バンド４０の反対端４２は、本体１０より伸び出る。
【００２０】
図に示すように、押さえ蓋２０には、ロックヘッド５０と、ロックヘッド５０により、ロック解除或いはロック固定を制御するロック板５１を設置する。
一実施形態では、押さえ蓋２０には、少なくとも１個のアーム２２を設置する。
ロックヘッド５０と可動接続端２１との間の区域に位置し、バルブプレート３０の移動を阻止する。
アーム２２は、垂直或いは垂直に近い状態で、押さえ蓋２０に突出する指状物で、末端２３を備える。
【００２１】
末端２３は、押さえ蓋２０が下圧されると、結束バンド４０を押さえ、バルブプレート３０の歯部３２による結束バンド４０の固定を補助する作用がある。
図４に示すように、バルブプレート３０は、本体１０或いはレール１６第一位置の区域に位置する。
【００２２】
この時、バルブプレート３０は、結束バンド４０が引かれて締められる、或いは緩められる位置にある。
図４に示すように、結束バンド４０の反対端４２は、入口１８ａから本体１０へと進入し、バルブプレート３０を通過し、出口１８ｂは、本体１０より伸び出る状況を呈する。
結束バンド４０が、物品６０を緊密に圧迫して梱包すると、人員はバルブプレート３０を押し、第一位置から第二位置へと移動させる。
こうして、バルブプレート３０の歯部３２は、結束バンド４０を押さえる。
【００２３】
図６に示すように、人員は押さえ蓋２０を下圧すると、アーム２２は、バルブプレート３０の第一位置方向への移動をガード或いは阻止する。
しかも、アーム２２の末端２３も、結束バンド４０を押さえ、バルブプレート３０の歯部３２による結束バンド４０の固定を補助する作用を形成する。
【００２４】
この操作方式において、人員は、片手で押さえ蓋２０と本体１０とを押さえることができるため、反対の手を使用して、カギを操作し、ロックヘッド５０とロック板５１とを回転させられ、これによりロック板５１は制限部１９に進入する。
こうして、押さえ蓋２０、固定バルブプレート３０と結束バンド４０を固定する作用を形成する。
人員がカギを再操作し、上述のロック状態を解除しない限り、押さえ蓋２０を開き、バルブプレート３０が結束バンド４０を押さえる固定メカニズムを解除することはできない。
【００２５】
上記を総合すると、本考案の組合せ結束バンド使用のロック装置は、操作が簡便という条件の下、従来の構造に比較し、以下の長所を備える。
１．ロック装置或いは本体１０、押さえ蓋２０と関連アセンブリ構造は、歯部３２のバルブプレート３０は、本体１０或いはレール１６の第一位置と第二位置との間で移動し、結束バンド４０を緩め、或いは押さえる。押さえ蓋２０には、アーム２２を設置し、バルブプレート３０の運動を阻止する。これらにより、フリップ部品を引きロープと結束バンドとを係合する従来の操作方式とは、その使用、操作形態において明確に異なる。
２．本体１０と押さえ蓋２０との構造対応関係は、人員がカギを操作しロックヘッド５０、ロック板５１を回転させ、押さえ蓋２０とバルブプレート３０、結束バンド４０を固定する作業に有利である。これにより、比較的大きい空間を占拠し、或いは体積の突出構造を持つため他の物品と衝突を生じ、或いはロック装置がロープを固定するメカニズムを破壊する等状況を発生する従来のロック装置の欠点を改善することができる。
【００２６】
本考案は、効果的な組合せ結束バンド使用のロック装置を提供し、その空間形態は、従来の構造と異なり、しかも従来の構造とは比べ物にならない長所を備え、非常に大きな進歩を示している。
上述の実施形態の説明を総合すると、本考案の操作、使用、及び本考案が生じる効果を充分理解することができる。しかし、以上に述べた実施形態は単に本考案の好ましい実施形態であり、これによって本考案の実用新案登録請求の範囲を限定することではない。即ち本考案の実用新案登録請求の範囲及び説明書の内容に基づいて、同等効果を有する簡単な変化及び修飾は、全て、本考案の範囲内に属するものとする。
【符号の説明】
【００２７】
１０    本体
１１    固定部
１２    可動接続部
１３    凹室
１４    開口
１５    壁
１６    レール
１７    凹部
１８ａ  入口
１８ｂ  出口
１９    制限部
２０    押さえ蓋
２１    可動接続端
２２    アーム
２３    末端
３０    バルブプレート
３１    支部
３２    歯部
３３    推動面
４０    結束バンド
４１    一端
４２    反対端
５０    ロックヘッド
５１    ロック板
６０    物品
７０    ベース台
７１    頭部
７２    口
７３    辺壁
θ      挟角
【図１】
0003194361.tif 000003
【図２】
0003194361.tif 000004
【図３】
0003194361.tif 000005
【図４】
0003194361.tif 000006
【図５】
0003194361.tif 000007
【図６】
0003194361.tif 000008
【手続補正書】
【提出日】平成26年9月17日(2014.9.17)
【手続補正１】
【補正対象書類名】実用新案登録請求の範囲
【補正対象項目名】全文
【補正方法】変更
【補正の内容】
【実用新案登録請求の範囲】
【請求項１】
組合せ結束バンド使用のロック装置であって、本体と回転可能な押さえ蓋の組合せを備え、
前記本体は、少なくとも１個の壁、前記壁に連接する固定部を備え、
前記押さえ蓋には、可動接続端を設置し、前記本体の可動接続部を可動接続し、共同で入口を区画し、
前記本体には、バルブプレートを設置し、前記バルブプレートは、前記本体上で設定された第一位置と第二位置との間で移動でき、
前記バルブプレートは第二位置の方向へと移動後、前記押さえ蓋に対応し、本体に入り、該バルブプレートを固定することを特徴とする、
組合せ結束バンド使用のロック装置。
【請求項２】
前記本体の固定部には、凹室、前記凹室と連接する開口を形成し、
前記凹室は、前記結束バンドの一端を固定し、
これにより、前記結束バンドは、前記開口から伸び出し、しかも前記入口から前記本体へと進入し、
前記本体の壁には、レールを設置し、前記バルブプレートを設置し、しかもこれにより前記バルブプレートは、前記レールに沿って、第一位置と第二位置との間で移動可能であることを特徴とする請求項１に記載の組合せ結束バンド使用のロック装置。
【請求項３】
前記本体の壁には、凹部を形成し、
前記バルブプレートは、板状蓋構造で、ラフな推動面を備え、両端に支部を有し、
前記支部は、前記凹部を経て、前記レールの内面に入り、
前記推動面と第一位置から第二位置へと移動するルートを結んだ線とは、推動角度を形成することを特徴とする請求項２に記載の組合せ結束バンド使用のロック装置。
【請求項４】
前記押さえ蓋には、ロックヘッド、前記ロックヘッドを経て、ロック解除、ロック固定を制御するロック板を設置し、
前記押さえ蓋には、少なくとも１個のアームを設置し、前記ロックヘッドと前記可動接続端との間の区域に位置し、
前記アームは、前記押さえ蓋において突出する指状物で、末端を備えることを特徴とする請求項１に記載の組合せ結束バンド使用のロック装置。
【請求項５】
前記押さえ蓋には、ロックヘッド、前記ロックヘッドを経て、ロック解除、ロック固定を制御するロック板を設置し、
前記押さえ蓋には、少なくとも１個のアームを設置し、前記ロックヘッドと前記可動接続端との間の区域に位置し、
前記アームは、前記押さえ蓋において突出する指状物で、末端を備えることを特徴とする請求項２或いは３に記載の組合せ結束バンド使用のロック装置。
【請求項６】
前記本体には、板状の制限部を設置し、壁を連接し、
前記制限部と前記固定部との間には、出口を区画することを特徴とする請求項１或いは４に記載の組合せ結束バンド使用のロック装置。
【請求項７】
前記本体には、板状の制限部を設置し、壁を連接し、
前記制限部と前記固定部との間には、出口を区画することを特徴とする請求項２或いは３或いは５に記載の組合せ結束バンド使用のロック装置。
【請求項８】
前記本体は、ベース台上に組み合わせ、
前記本体に対応し、前記ベース台は、頭部を備え、
前記頭部は、少なくとも前記本体固定部の局部区域を包み、
前記頭部上に形成する口は、前記本体開口に対応し、
前記ベース台両辺に位置する辺壁は、少なくとも前記本体の壁の局部区域を包むことを特徴とする請求項２或いは３或いは５或いは７に記載の組合せ結束バンド使用のロック装置。
【請求項９】
前記バルブプレートには、歯部を設置し、これにより前記バルブプレートが前記本体の第二位置にある時、前記バルブプレートの歯部は、前記結束バンドを咬んで押さえることを特徴とする請求項１或いは２或いは３或いは４或いは５或いは６或いは７或いは８に記載の組合せ結束バンド使用のロック装置。
【請求項１０】
前記押さえ蓋を下向きに押すと、前記アームは前記バルブプレートの動きを阻止し、前記アームの末端は、前記結束バンドを咬んで押さえ、
前記ロック板は、前記制限部に進入し、前記押さえ蓋をロックすることを特徴とする請求項６或いは７に記載の組合せ結束バンド使用のロック装置。
【請求項１１】
前記押さえ蓋を下向きに押すと、前記押さえ蓋上のアームは前記バルブプレートの動きを阻止し、
前記アームの末端は、前記結束バンドを咬んで押さえ、
前記ロック板は、前記本体上に設置される制限部に進入し、前記押さえ蓋をロックすることを特徴とする請求項４に記載の組合せ結束バンド使用のロック装置。